(57)【要約】      （修正有）【課題】ビーチサンダルや草履等を履いた時の、鼻緒やトングの食い込みや、擦れによる痛みや傷を軽減でき、なおかつ容易に着脱が可能であり、装飾を施しファッション性のある、他者との識別可能な足用緩衝具を提供する。【解決手段】いわゆる二枚貝状に形成され、鼻緒６を挟み込み、鼻緒６を境に上部、下部とし、下部の一側に履物のトングに当接する割目を設け、更に上部、もしくは下部のどちらか一方の両端が長く形成され、鼻緒６を巻き込む様に成ると共に、上部、下部の両先端に係止部材２ａ、２ｂ、３ａ、３ｂが設けられた下駄、草履やビーチサンダルの様に、鼻緒とトングを有する履物に着脱可能な足用緩衝具である。【選択図】図２
0003218448.tif 000002
【実用新案登録請求の範囲】
【請求項１】
ビーチサンダルや草履等の様に、鼻緒とトングを有する履物に、係止部材で着脱可能な構造をしており、鼻緒及び鼻緒とトングの交差する部分を挟み込むように形成された足用緩衝具。
【請求項２】
ビーチサンダルや草履等のトング部に当たる部分に、トング部に装着可能な形に形成された弾性部材から成るカバーを有する請求項１に記載の足用緩衝具。
【請求項３】
係合部以外、全体に弾性部材を用いた請求項１、請求項２に記載の足用緩衝具。
【請求項４】
装飾品の取り付けられた請求項１から請求項３に記載の足用緩衝具。
【考案の詳細な説明】
【技術分野】
【０００１】    本考案は、ビーチサンダルや草履等を履いたときの、痛みや傷を軽減する為の、上記履物に着脱が容易に可能な装飾付き足用緩衝具に関するものである。
【背景技術】
【０００２】    ビーチサンダルや草履の様に、トングと鼻緒から成る履物を履いた時、しばしば第一指と第二指の間にトングや鼻緒が食い込み、歩くことで擦れ、痛みや傷が生じていた。【０００３】    さらに、坂道を上る際には脱げないように余計な力が入り、下る際にはトングや鼻緒の食い込みが増し、強い痛みが生じたり、傷ができたりする場合があった。【０００４】    また、多くの一般的なビーチサンダルや草履等に、簡単に着脱し装飾を施せるものがなかった。【０００５】    したがって、上記のような問題を同時に解決する手段はなかった。【０００６】    特許文献１と２は、ビーチサンダル等の着脱可能な装飾について開示されている。また、特許文献３は、緩衝パッドについて開示されている。
【先行技術文献】
【特許文献】
【特許文献１】実用新案登録第３１４２４９３号
【特許文献２】特開２０１０−２１４１３８
【特許文献３】実用新案登録第３１８２５２８号
【考案の概要】
【考案が解決しようとする課題】
【０００７】  トングや鼻緒の食い込みや、擦れたときの痛みや傷を防ぎ、尚且つ装飾も付いたものはなかった。また、多くの一般的なビーチサンダルや草履等に着脱可能な装飾はなかった。【０００８】  特許文献１と２はビーチサンダル等に着脱可能な装飾に関する記述が開示されている。しかしながら、特許文献１は鼻緒、及びトング上部全体を、面ファスナーによって取り換えるものである。したがって、サンダル本体の鼻緒と、装飾部の鼻緒に、面ファスナーを備えているものにしか着脱出来ない。また、特許文献２は、どの形のサンダル等にも着脱可能だが、トングや鼻緒の当たる部分の緩衝部は一切設けられていない。【０００９】  特許文献３は、緩衝パッドに関する記述が開示されている。しかしながら、トングの当たる部分、つまりは第一指と第二指の間の痛みや、傷の軽減にしか記述はなく、一切の装飾は施されていないし、構造上施すことが出来ない。
【課題を解決するための手段】
【００１０】  上記課題を解決するために、請求項１から４に記載の本考案は、ビーチサンダルや草履等の様な、鼻緒とトングを有する履物に、鼻緒とトングの交わる部分、及び鼻緒を挟み込む様に、装着可能な形に形成してあり、トングに当たる部分にはカバーが設けられている。全体の構造は弾性部材から成り、またその上部に装飾を施すことも可能である。この様に、上記に示したような構造物に、係止部材を有する着脱可能な足用緩衝具を提供する。
【考案の効果】
【００１１】  以上、記述した様に、鼻緒やトングに当たる部分が弾性部材で構成されているため、第一指と第二指の間の食い込みによる痛みの軽減や、擦れによる傷の防止になる。また、機能性だけではなく、多くの一般的なサンダルや草履等に着脱可能な係止部材を設けており、装飾も施せるため、ファッション性に優れ他者との識別が可能である。
【図面の簡単な説明】
【００１２】
【図１】  足用緩衝具の履物未装着時（実施例１）
【図２】  足用緩衝具履物装着時、（Ａ）上面図、（Ｂ）斜視図
【図３】  足用緩衝具に具体的な装飾を施した図
【考案を実施するための形態】
【００１３】  以下、本考案を具体化した実施形態を図面に基づき説明する。
【実施例１】
【００１４】  図１は本考案の１実施例を示した概略構成を示している。図１から図３の１から６は同様である。図１に示される様に、本実施の形態の足用緩衝具１に、トングカバー部４を有し、係止部材２ａと２ｂを嵌め合わせ、３ａと３ｂを嵌め合わせることにより、着脱可能な構造になっている。トングの第一指と第二指の間への食い込みから生じる痛みを軽減する為、弾性素材のトングカバー部４を備えている方が、効果的だが、弾性の有無、トングカバー部の有無は自由に設計可能である。【００１５】  図２は装着時の図である。図２で示されるように、装着時に鼻緒とトングの交わる部分と鼻緒を、装飾付き足用緩衝具が、挟み込む様に装着が可能であり、足の甲側から挿入し、爪先側を鼻緒の上部に巻き込む様に装着が可能である。爪先への違和感の考慮や、歩行時の妨げにならない程度の設計の変更は可能である。また、使用時に外れてしまうことのない程度の係止部位置の変更は可能である。係止部材は、例えばスナップロックや面ファスナー等の様に、容易に着脱自在であり、使用中に外れてしまうことのないものであれば、これにこだわらない。【００１６】  足用緩衝具１は装着時、足の甲に当たる部分はポリウレタン等の弾性素材で構成されている方が好ましいが、これに限らない。また、図３の様に、装飾が施しやすいよう、上部は弾性がなくてもかまわないがこれに限らない。足用緩衝具１に施す装飾は、リボンや花等の立体物でも構わないが、色柄のある布等を施したものでも構わない。【００１７】  足用緩衝具１の厚みは極端に厚くなく、薄くないものとするが、その厚みは限定しない為、製造段階で需要に合った適切なサイズに、自在に変更が可能である。また、幅や長さも、極端に大きくも、小さくもないものとし、装飾品よりも目立たない大きさが好ましいが、これに限らない。
【産業上の利用可能性】
【００１８】  足用の緩衝具、また装飾品を製造、運送、販売する産業で利用される。また、昨今海外からの観光客が増える日本において、日本の伝統的な履物である、草履や下駄を履く外国人も多くなっている。日本人でも不快に感じる痛みを軽減することができれば、もっと気軽に履いてもらえる可能性があり、日本の伝統的な草履や下駄の普及にも繋がり、観光産業の発展にも利用できる可能性がある。
【符号の説明】
【００１９】１    足用緩衝具
２ａ  係止部材
２ｂ  係止部材
３ａ  係止部材
３ｂ  係止部材
４    トングカバー部
５    装飾品
６    鼻緒
【図１】
0003218448.tif 000003
【図２】
0003218448.tif 000004
【図３】
0003218448.tif 000005
【手続補正書】
【提出日】平成30年8月1日(2018.8.1)
【手続補正１】
【補正対象書類名】実用新案登録請求の範囲
【補正対象項目名】請求項１
【補正方法】変更
【補正の内容】
【請求項１】
いわゆる二枚貝状に形成され、鼻緒を挟み込み、前記鼻緒を境に上部、下部とし、前記下部の一側に履物のトングに当接する割目を設け、更に前記上部、もしくは前記下部のどちらか一方の両端が長く形成され、前記鼻緒を巻き込む様に成ると共に、前記上部、前記下部の両先端に係止部材が設けられた下駄、草履やビーチサンダルの様に、鼻緒とトングを有する履物に着脱可能な足用緩衝具。
【手続補正２】
【補正対象書類名】実用新案登録請求の範囲
【補正対象項目名】請求項３
【補正方法】変更
【補正の内容】
【請求項３】
前記係止部材以外、全体に弾性部材を用いた請求項１または２記載の足用緩衝具。
【手続補正３】
【補正対象書類名】実用新案登録請求の範囲
【補正対象項目名】請求項４
【補正方法】変更
【補正の内容】
【請求項４】
リボン、花、動物型の人形等の様な立体物や、色柄のある布等の装飾が、前記上部天面に取り付けられた、請求項１から３のいずれかに記載の足用緩衝具。